(57)【要約】【課題】【解決手段】少なくとも８メガバイトの記憶容量を有するデータ記憶デバイス５は、スタイラス部分２３を含み、位置を示す先端２５を有するハウジングによって囲まれている。スタイラスは、スタイラスの先端の位置をトレースするＰＤＡのような電子デバイス１９へのデータ入力のためにデータ記憶デバイス５が使用されるようにする。データ記憶デバイス５は従来的なスタイラスの代わりに使用することができる。したがって、スタイラスの位置をトレースする電子デバイス１９のユーザは、追加の構成部品の使用を余儀なくされることなくデータ記憶デバイスの利点を享受することができる。【選択図】      図２
2005011360.tif 000002
【特許請求の範囲】
【請求項１】
少なくとも８メガバイトの不揮発性メモリと、
データを送受信するワイヤレストランシーバと、
ワイヤレストランシーバにより受信されたデータをメモリ内に記憶し、データをメモリから取り出して送信のためにワイヤレストランシーバに送る制御プロセッサと、
先端を定めるスタイラス部分を含む外形を持つハウジングとを具備するデータ記憶デバイス。
【請求項２】
ユーザのバイオメトリック特性を記録する少なくとも１つのバイオメトリックセンサと、バイオメトリック特性をセンサにより記憶されている特性と比較する検証プロセッサとをさらに具備し、
検証プロセッサは、記録されたバイオメトリック特性が記憶されている特性と一致するかどうかにしたがって、データ記憶デバイスがその機能のうちの少なくとも１つを実行するかどうかを制御する請求項１記載のデータ記憶デバイス。
【請求項３】
バイオメトリックセンサは指紋センサであり、データ記憶デバイスには指紋センサが受信した指紋を記憶されている指紋と比較するよう構成された検証プロセッサが含まれる請求項２記載のデータ記憶デバイス。
【請求項４】
記録されたバイオメトリック特性と記憶されている特性とが一致していることを検証プロセッサが決定するとき、データ記憶デバイス内に記憶されているデータの送信のみを行うよう構成された請求項２または請求項３のいずれか１項に記載のデータ記憶デバイス。
【請求項５】
イメージを表すデータを発生させ、不揮発性メモリ内にイメージデータを記憶するよう構成されているカメラデバイス内に組み込まれた請求項１ないし請求項４のいずれか１項に記載のデータ記憶デバイス。
【請求項６】
制御プロセッサは、圧縮アルゴリズムを実行して不揮発性メモリ内に記憶すべきデータを圧縮するよう構成されている請求項１ないし請求項５のいずれか１項に記載のデータ記憶デバイス。
【請求項７】
不揮発性メモリ内に記憶されているデータに関連して少なくとも１つのセキュリティ機能を実行するスマートカードをさらに具備する請求項１ないし請求項６のいずれか１項に記載のデータ記憶デバイス。
【請求項８】
（ｉ）  少なくとも８メガバイトの不揮発性メモリと、
データを送受信するワイヤレストランシーバと、
ワイヤレストランシーバにより受信されたデータをメモリ内に記憶し、データをメモリから取り出して送信のためにワイヤレストランシーバに送信する制御プロセッサと、
先端を定めるスタイラス部分を含む外形を持つハウジングとを備えたデータ記憶デバイスと、
（ｉｉ）データ記憶デバイスのスタイラスの位置をトレースする手段と、データ記憶デバイスのワイヤレストランシーバと通信するワイヤレストランシーバとを備えた第１の電子デバイスとを具備し、
ユーザがスタイラスを動かして第１の電子デバイスにデータを入力し、それぞれのトランシーバを使用して第１の電子デバイスとデータ記憶デバイスとの間でデータを通信させることの可能なシステム。
【請求項９】
第１の電子デバイスは表面を有し、表面上でのスタイラスの動きを検出する手段を備える請求項８記載のシステム。
【請求項１０】
表面は接触感応である請求項９記載のシステム。
【請求項１１】
第１の電子デバイスはオーガナイザまたはＰＤＡ（パーソナルデジタルアシスタント）である請求項８ないし請求項１０のいずれか１項に記載のシステム。
【請求項１２】
データ記憶デバイスとデータを交換するそれぞれのワイヤレストランシーバを含む１つ以上の別の電子デバイスをさらに具備する請求項８ないし請求項１１のいずれか１項に記載のシステム。
【請求項１３】
電子デバイスの１つはパーソナルコンピュータ（ＰＣ）であり、電子デバイスの他のものはＰＣのスレーブデバイスである請求項８ないし請求項１２のいずれか１項に記載のシステム。
【請求項１４】
各ワイヤレストランシーバは電磁波により動作し、アンテナと無線周波数インターフェース回路を含む請求項８ないし請求項１３のいずれか１項に記載のシステム。
【請求項１５】
記憶デバイスは複数のフォーマットで受信／送信を行うよう適合され、これによりデータ記憶デバイスは異なるフォーマットを使用する２つの電子デバイスの間で翻訳する請求項８ないし請求項１４のいずれか１項に記載のシステム。
【請求項１６】
データ記憶デバイスおよび他の電子デバイスのうちの１つによって実行されるすべての通信には、他の電子デバイスから受信され、データ記憶デバイスにより内部的に記憶されているＩＤコードのリストと比較されるＩＤコードを使用して他の電子デバイスの識別子を確認するプロセスが含まれる請求項８ないし請求項１４のいずれか１項に記載のシステム。
【請求項１７】
請求項１記載のデータ記憶デバイスとスタイラスの先端の位置をトラッキングする手段を組み込んだ別の電子デバイスとの間でデータを転送する方法において、
（ｉ）別の電子デバイスのトランシーバが、データ記憶デバイスのトランシーバにワイヤレスにデータをワイヤレスに送信する動作、または
（ｉｉ）データ記憶デバイスのトランシーバが別の電子デバイスのトランシーバにワイヤレスにデータを送信する動作のうちの少なくとも１つを含む方法。
【発明の詳細な説明】
【技術分野】
【０００１】
本発明はコンピュータシステムにデータを入力するデータ入力デバイスとこのデバイスを動作する方法とに関する。データ入力デバイスはデータ記憶機能を有するようさらに構成されている。
【背景技術】
【０００２】
近年、データ記憶デバイスを提供し、これを用いてコンピュータシステムの構成部品間、またはコンピュータシステム間でユーザがデータを転送できることに関して関心が高まってきた。
【０００３】
例えば、本発明の発明者の１人は、“データ転送のための方法および装置”と題され、ＷＯ０３／００３１４１として公開されたＰＣＴ出願ＰＣＴ／ＳＧ０１／００１３６において（この出願の開示は参照によりここに取り込まれる）、コンピュータデバイスと１つ以上の外部電子デバイスを含むコンピュータシステムで使用するためのデータ記憶デバイスを提案している。外部デバイスは“スレーブデバイス”と呼ばれるタイプのものであり、このような電子デバイスには、カメラ、ビデオカメラ、オーガナイザ、ＭＰ３プレーヤー、またはＰＤＡ（パーソナルデジタルアシスタント）が含まれる。データ記憶デバイスには、（データ記憶デバイスが記憶する）データを受信し、データ記憶デバイス内に記憶されたデータを送信するためのワイヤレストランシーバ（トランデューサ）が含まれる。コンピュータデバイスにも、および他の電子デバイスのそれぞれには、それぞれのワイヤレストランデューサが含まれる。したがって、データ記憶デバイスはコンピュータデバイスとさまざまな外部デバイスとの間でデータを転送するために使用することができる。記憶デバイスは実質的にデータの記憶に向けられているので、他の携帯型電子アイテムのほとんどのものよりも大きなメモリを収容することができる。さらに、データ転送がワイヤレスであるため物理コネクタ（ケーブル、ソケット、およびプラグ等）は必要とされないので、物理コネクタに関する非常に多数の既存の標準規格にかかわらずデータをコンピュータシステム内で転送することができる。
【発明の開示】
【発明が解決しようとする課題】
【０００４】
ＰＣＴ／ＳＧ０１／００１３６において提案されたデータ記憶デバイスは実際に有用であることが証明されているが、このデータ記憶デバイスは、（例えば、コンピュータシステムを移動すべき場合に持ち運ぶために）コンピュータシステムのユーザが得て使用する必要のある追加の部品を構成している。
【０００５】
本発明は新規で有用なデータ記憶デバイスを提供することを目的とする。
【課題を解決するための手段】
【０００６】
おおまかにいえば、本発明はデータ記憶デバイスがスタイラスの形式、すなわち位置を示す先端を有する形式で形成されるべきであると提案している。スタイラスは、電子デバイスへのデータ入力のためにデバイスが使用されるようにする。電子デバイスはスタイラスの先端の位置を測定する（例えば、接触感応表面を持つデバイス）。したがって、データ記憶デバイスは従来的なスタイラスの代わりに使用されてもよい。いいかえれば、スタイラスの位置をトレースする電子デバイスのユーザは、追加の構成部品の使用を余儀なくされることなくワイヤレスメモリ記憶デバイスの利点を享受することができる。
【０００７】
特に、本発明の第１の現れは、
少なくとも８メガバイトの不揮発性メモリと、
データを送受信するワイヤレストランシーバと、
ワイヤレストランシーバにより受信されたデータをメモリ内に記憶し、データをメモリから取り出して送信のためにワイヤレストランシーバに送る制御プロセッサと、
先端を定めるスタイラス部分を含む外形を持つハウジングとを具備するデータ記憶デバイスである。
【０００８】
データ記憶デバイスには、ユーザのバイオメトリック特性を記録する少なくとも１つのバイオメトリックセンサと、バイオメトリック特性をセンサにより記憶されている特性と比較する検証プロセッサとがさらに含まれ、検証プロセッサは、記録されたバイオメトリック特性が記憶されている特性と一致するかどうかにしたがって、データ記憶デバイスがその機能のうちの少なくとも１つを実行するかどうかを制御することが好ましい。
【０００９】
例えば、バイオメトリックセンサは指紋センサであってよく、データ記憶デバイスには指紋センサが受信した指紋を記憶されている指紋と比較するよう構成された検証プロセッサが含まれていてもよい。
【００１０】
データ記憶デバイスは、記録されたバイオメトリック特性と記憶されている特性とが一致していることを検証プロセッサが決定するとき、データ記憶デバイス内に記憶されているデータの送信のみを行うのが好ましい。
【００１１】
検証プロセッサと制御プロセッサとが物理的に異なるユニットであることは、本発明にとって不可欠ではないことに留意すべきである。検証プロセッサと制御プロセッサは場合によって、単一の集積回路（マスタ制御ユニット）の異なる機能であってもよい。代替的に、制御プロセッサと検証プロセッサの機能をともに実現するため、他の任意の数の集積回路が使用されてもよい。
【００１２】
デバイスには、不揮発性メモリ内に記憶されるべきか、あるいはすでに記憶されているデータを圧縮／解凍する機能が含まれていてもよい。これは、不揮発性メモリ内にデータを記憶し、不揮発性メモリからデータを取り出すプロセッサによって実現することもできる。あるいは代わりに専用マイクロプロセッサユニットによって実現されてもよい。
【００１３】
不揮発性メモリに記憶され、その後ワイヤレストランシーバを介して送信されるデータを発生させるため、デバイスはイメージ取得デバイス（カメラ）に組み込まれてもよい。
【００１４】
デバイスは、少なくとも１つの強化されたセキュリティ機能を提供するために、少なくとも１つのスマートカードを組み込むことができる。
【００１５】
本発明の第２の現れは、上述のようなデータ記憶デバイスと、ユーザがスタイラスを動かすことによって第１の電子デバイスにデータを入力するために、データ記憶デバイスのスタイラスの位置を記録するよう構成された第１の電子デバイスとを含むシステムであり、第１の電子デバイスには、データ記憶デバイスとデータを交換するためのワイヤレストランシーバがさらに含まれる。
【００１６】
第１の電子デバイスは例えば、表面と、この表面上でスタイラスの動きを検出する手段とを有していてもよい。例えば表面は接触感応であってもよい。
【００１７】
第１の電子デバイスに加えて、システムは１つ以上の別の電子デバイスを備えることができる。この電子デバイスには、データ記憶デバイスとデータを交換するためのそれぞれのワイヤレストランシーバが含まれる。したがって、データ記憶デバイスは“ブリッジ”として構成されてもよい。この“ブリッジ”は、データ記憶デバイスの第１のものから受信したデータを記憶して、（オプション的に、コード化動作のようなデータ記憶デバイス内でのデータの処理を伴って）引き続き電子デバイスの第２のものにそのデータを送信するために使用することができる。
【００１８】
システムはコンピュータシステムであるのが好ましく、ここで電子デバイスの１つはＰＣであり、電子デバイスの他のものはＰＤＡのようなＰＣの“スレーブデバイス”である。
【００１９】
ワイヤレストランシーバのそれぞれは電磁波によって動作するのが好ましく、ＲＦまたは赤外線波によって動作するのがより好ましい。前者の場合、トランシーバはアンテナとＲＦインターフェース回路とからなる。採用されるワイヤレス波のいかんを問わず、トランシーバは既存または将来利用可能となる任意のプロトコルを使用することができ、例えば、そのプロトコルは（ｉ）ＩＥＥＥ８０２．１１、（ｉｉ）ブルートゥース、または（ｉｉｉ）ｉｒＤＡのうちの少なくとも１つにおいて信号を送信および／または受信可能であってもよい。
【００２０】
異なるフォーマットを使用する２つのスレーブデバイス間で翻訳できるために、データ記憶デバイスは複数のフォーマットで受信／送信可能であってもよい。
【００２１】
内部メモリを含む任意の電子デバイスが、内部メモリがフルになるときに、あるいは予め定められた限度を超えるデータ量に少なくともなるときに、データ記憶デバイスとの通信を開始するように構成され、データ記憶デバイスにデータを転送できることが好ましい。
【００２２】
データ記憶デバイスによって実行されるすべての通信には、他のデバイス（コンピュータデバイスまたはスレーブデバイス）の識別子を確立するプロセスが含まれるのが好ましい。このプロセスは、そのデバイスから受信され、データ記憶デバイスにより内部的に記憶されているＩＤコードのリストと比較されたＩＤコードを使用する。
【００２３】
本発明の第３の現れは、上記で十分議論されたデータ記憶デバイスとスタイラスの先端の位置をトラッキングする手段を組み込んだ別の電子デバイスとの間でデータを転送する方法であり、この方法は、
（ｉ）別の電子デバイスのトランシーバが、データ記憶デバイスのトランシーバにワイヤレスにデータをワイヤレスに送信する動作、または
（ｉｉ）データ記憶デバイスのトランシーバが別の電子デバイスのトランシーバにワイヤレスにデータを送信する動作のうちの少なくとも１つを含む。
【発明を実施するための最良の形態】
【００２４】
本発明の好ましい特徴が、以下の図面を参照して、例示の目的のみでここに説明される。
【００２５】
図１を参照すると、本発明を具体化するシステムには、アンテナ３を持つＰＣ１が含まれる。システムにはアンテナ３７（図１には示されていない）を持つデータ記憶デバイス５も含まれる。システムには、複数の電子（“スレーブ”）デバイス９，１９もさらに含まれる。これらの電子デバイスはコンピュータデバイス１の外部にあり、コンピュータデバイス１から空間的に離れているが、ＰＣ１へ、および／またはＰＣ１からデータを有効に通信することができる。各外部デバイス９、１９はアンテナ１１を持つ。簡明にするために図１では２つのスレーブデバイス９、１９のみが図示されている。データ記憶デバイス５および外部デバイス９、１９のそれぞれは携帯可能である。例えばこれらの重量はそれぞれ１キログラムよりも軽いのが好ましく、それぞれバッテリのような内部電源を備えているのが好ましい。
【００２６】
ＰＣ１およびデータ記憶デバイス５はアンテナ３とデータ記憶デバイス５のアンテナとを使用して通信することができる。同様に、データ記憶デバイス５および外部デバイス９、１９はデータ記憶デバイス５のアンテナとアンテナ１１とを使用して通信することができる。両通信形式は、通信プロトコルＩＥＥＥ８０２．１１、ブルートゥース、ｉｒＤＡ等のうちの任意のものを使用していてもよい。以下で説明するように、スレーブデバイス９、１９の任意のものはデータ記憶デバイス５を介して、ＰＣ１に対して、あるいはスレーブデバイス９、１９の任意のものに対して、選択的にデータを送信することができる。ＰＣ１はデータ記憶デバイスを介してスレーブ９、１９のうちの選択された１つにデータを送信することができる。この通信のすべてはデジタルであり、データ記憶デバイス５はデジタルデータ用である。加えて、データが暗号形式で送信されることも可能である。
【００２７】
スレーブデバイス９、１９の少なくとも１つ（および可能であればすべて）は、他のスレーブデバイス９、１９またはＰＣ１との双方向通信を必要としない点に留意すべきである。例えばデジタルカメラであるスレーブデバイス９の場合、マスタ記憶デバイス５を介して送信されたデータは大部分が（あるいは専ら）デジタルカメラからＰＣ１に対するものである。
【００２８】
ここで図２および図３に移ると、データ記憶デバイス５の構成が側面図として（図２）およびブロック図として（図３）それぞれ示されている。
【００２９】
デバイス５には、先端２５を持つスタイラス部分２３を含む外部ハウジングが含まれる。デバイス５のアンテナは示されていないが、スタイラス部分２３と対向するデバイス５の端、あるいはその近傍（すなわち、ハウジングの他端）に設けられているのが好ましい。ハウジングの外面には、実質的にハウジングを持つプラッシュ（plush）である表面２９を持つ指紋センサ２７が含まれる。ユーザが表面２９に指を当てると指紋が記録される。
【００３０】
データ記憶デバイス５の内部には、データ記憶モジュール３１と、マイクロ制御装置（マスタ制御ユニット）３３とが含まれ、このマイクロ制御装置はデータ記憶モジュール３１および指紋センサ２７と双方向通信する。マイクロ制御装置５はトランシーバ３５とさらに通信し、このトランシーバ３５はアンテナ３７とＲＦインターフェース回路３９とを備えている。トランシーバ３５はアンテナ３７によってＲＦ信号を受信するよう構成されており、さらにＲＦインターフェース回路３９内においてＲＦ信号からデジタルデータを取り出すよう構成されている。このＲＦインターフェース回路３９はマイクロ制御装置にデータを送り、マイクロ制御装置３３は記憶モジュール３１内にデータを記憶する。データ記憶デバイス５がデータ送信可能であるとき、マイクロ制御装置３３は記憶モジュール３１に信号を発する。この記憶モジュール３１は、記憶モジュール３１内に記憶されているデータをマイクロ制御装置３３に送信し、マイクロ制御装置３３は送信のためにデータをトランシーバ３５へ送る。
【００３１】
オプション的に、データ記憶デバイス５の動作（および、特にトランシーバ３５を介するデータの送信動作）は、指紋センサ２７が指紋を記録し、これを指紋データとしてマイクロ制御装置３３に送信し、かつマイクロ制御装置がその指紋を記憶モジュール３１（または示されていない他の任意のメモリ）内に予め記憶されているデータと比較した場合にのみ可能となる。
【００３２】
データ記憶デバイス５の記憶モジュール３１のメモリ容量は例えば少なくとも８ＭＢ、少なくとも１ＧＢ、少なくとも１０ＧＢ、または少なくとも２０ＧＢであってよい。記憶デバイス５の記憶モジュール３１は、例えば磁気ディスクまたは他の任意の適切な不揮発性データ記憶デバイスであってよく、これには、電気消去可能プログラマブル読出し専用メモリ（ＥＥＰＲＯＭ）、強誘電体ランダムアクセスメモリ（ＦＲＡＭ）、磁気抵抗ランダムアクセスメモリ（ＭＲＡＭ）または、将来的に利用可能となる他の任意のデータ記憶デバイスなどがある。
【００３３】
図４に移ると、図１のシステムを使用した方法が示されている。この方法では、データ記憶デバイス５はスレーブデバイス９、１９のうちの１つからデータを受信して記憶する。まず、データ記憶デバイス５は待機状態４１にある。ステップ４３で、トランシーバ３５はアンテナ３７を介してデバイス９、１９のうちの他の１つからデータを受信し、これをマイクロ制御装置３３に送る。
【００３４】
ステップ４５では、マイクロ制御装置３３は指紋センサ２７を使用して指紋がユーザの保持するものであることを検証する。測定された指紋が記憶モジュール３１内に記憶されている指紋データと一致しない場合、ステップ４７でエラーメッセージが発生し、デバイスは待機状態４１に戻る。
【００３５】
そうでなければ、ステップ４９でデバイスは受信したデータからスレーブデバイスのＩＤ（パスワード）を検証する（例えば、データ内の符号化されたＩＤを記憶モジュール３１内のリストに記憶されているＩＤと比較する）。この検証処理が失敗すると、デバイスはステップ４７に移る。そうでなければデバイスはステップ５１に進み、マイクロ制御装置３３は記憶モジュール３１内にディレクトリを生成する。ステップ５３では、デバイスは引き続きスレーブデバイス９、１９からデータを受信し、データを記憶モジュール３１に記憶する。
【００３６】
図５に移ると、図１のシステムを使用する第２の方法が示されている。この方法では、データ記憶デバイス５は待機状態６１にある。ステップ６３で、トランシーバ３５（および、したがってマイクロ制御装置３３）はアンテナ３７を介してＰＣ１から書き込み要求を受信する。この書き込み要求は、ＰＣのユーザが接触感応スクリーン、キーボードまたはマウス入力デバイスを使用して、データをＰＣ１からメモリデバイス５に書き込むべきであると通知する。この要求の受信はさらに次の処理ステップ６５も開始させる。
【００３７】
ステップ６５では、マイクロ制御装置３３は指紋センサ２７を使用して指紋がユーザの保持するものであることを検証する。測定された指紋が記憶モジュール３１に記憶されている指紋データと一致しないとき、ステップ６７でエラーメッセージが発生し、デバイスは待機状態６１に戻る。
【００３８】
そうでなければ、ステップ６９で、デバイスは受信した書き込み要求内にあるＰＣ１のＩＤを検証する（例えば、書き込み要求内の符号化されたＩＤを記憶モジュール３１内のリストに記憶されているＩＤと比較する）。この検証処理が失敗すると、デバイスはステップ６７に移動する。そうでなければ、デバイスはステップ７１に移る。ステップ７１ではマイクロ制御装置３３はトランシーバ３５を使用してＰＣ１からデータを受信し、ステップ７３でマイクロ制御装置３３は記憶モジュール３１内にデータを記憶する。
【００３９】
図６に移ると、図１のシステムを使用する第３の方法が示されている。この方法では、データ記憶デバイス５はＰＣ１にデータを送信する。まず、データ記憶デバイス５は待機状態８１にある。ステップ８３でトランシーバ３５はアンテナ３７を介してＰＣ１から読み取り要求を受信する。この読み取り要求は、ＰＣのユーザが接触感応スクリーン、キーボード、またはマウス入力デバイスを使用して、データがメモリデバイス５からＰＣ１に書き込まれるべきであることを通知する。この要求の受信はさらに次の処理ステップ８５も開始させる。
【００４０】
ステップ８５では、マイクロ制御装置３３は指紋センサ２７を使用して指紋がユーザの保持するものであることを検証する。測定された指紋が記憶モジュール３１に記憶されている指紋データと一致しないとき、ステップ８７でエラーメッセージが発生し、デバイスは待機状態８１に戻る。
【００４１】
そうでなければ、ステップ８９で、デバイスは受信した読み取り要求内のＰＣ１のＩＤを検証する（例えば、要求内の符号化されたＩＤを記憶モジュール３１内のリストに記憶されているＩＤと比較する）。この検証処理が失敗すると、デバイスはステップ８７に移る。そうでなければデバイスはステップ９１に進む。ステップ９１では、マイクロ制御装置３３は記憶モジュール３１からデータを受信し、ステップ９３でトランシーバ３５を使用してＰＣ１にデータを送る。
【００４２】
データがスレーブデバイスの１つに送信されるべき場合にも、図６で示す処理と非常によく似た処理が生じる。この場合の処理は、記憶デバイス５がスレーブデバイスから読み取り要求を受信し、これをマイクロ制御装置３３へ送るというステップによってステップ８３が置きかわり、データがトランシーバ３５によってスレーブデバイスに送信されるというステップによってステップ９３が置きかわる点で異なる。
【００４３】
図５および図６はデバイス５の視点から、データ記憶デバイス５とＰＣ１との間でデータを転送する処理を示した。しかしながら図７を参照すると、ユーザの視点からこれらの処理が示される。
【００４４】
ステップ１０１で、それぞれのトランシーバ３，３５の範囲内でユーザはスタイラスをＰＣに近づける。ステップ１０３で、スタイラス５のセンサ２７上にユーザの指を置くことで、ユーザにユーザの識別子を検証させるポップアップメッセージがＰＣのスクリーン上に現れる。
【００４５】
ステップ１０５において、一致があるかどうかの決定がマイクロ制御装置３３によってなされる。一致がなければ、ステップ１０７でユーザは再試行または試行の終了が求められる。
【００４６】
そうでなければ、ステップ１０９でＰＣ（または他のホストシステム）のオペレーティングシステムが（記憶モジュール３１に対応する）外部ドライブを認識するよう構成される。ステップ１１０では、接触感応スクリーン、キーボードまたはマウスによって、ユーザはスタイラス５の記憶モジュール３１から読み込み、または記憶モジュール３１に書き込むことができる。
【００４７】
これらの機能に加えて、ユーザはさらにＰＤＡ１９のような電子デバイスにデータを入力することができる。ＰＤＡ１９はスタイラス部分２３の先端２５の動きをトレースすることができる。電子デバイス１９が先端２５の位置をトラッキングする方法は任意の知られた技術または将来利用可能な任意の技術にしたがっていてよい。例えば、ＰＤＡ１９上に接触感応表面１５を提供することによるものでもよく、これによりユーザは先端２５によってこの表面をストロークできる。代替的に、先端２５の位置は例えばソナーまたはレーダー技術によって検出されてもよい。ユーザはこのように、データ記憶デバイス５のデータ記憶容量に加えて、任意の知られたシステムのスタイラスから利用可能なすべての機能を有する。
【００４８】
図８は本発明にしたがったデータ記憶デバイスの第２の実施形態を示す。図２のアイテムに対応する図８のアイテムには１００より大きい参照符号が付与されている。データ記憶デバイスは同一のハウジング内にデジタルカメラデバイス１４０を組み込んでいる。デジタルカメラデバイス１４０はイメージ（静止画像、および／または実施形態のあるバージョンでは動画像）を獲得することができる。デバイスには、オーディオサウンドを記録することのできるサウンド受信デバイス（マイクロフォン）１４２も含まれる。
【００４９】
第２の実施形態の機能的な構成は、図９に示されているとおりである。図３の要素に対応する要素には１００より大きい参照符号が付与されている。カメラ１４０およびマイクロフォン１４２によって取得されたイメージおよび／またはサウンドを表すデータは、マイクロ制御装置１３３によってメモリ１３１内に記憶される。第１の実施形態のように、アンテナ３７からデータを受信し、アンテナ３７にデータを送信するためのＲＦインターフェース回路が提供される。
【００５０】
デバイスは第１の実施形態のすべての機能を有しているのが好ましいことに留意すべきである。すなわち、アンテナ１３７を介してデータを受信し、これをメモリユニット１３１に記憶し、その後データを再送信することにより、この方法でデータ記憶デバイスが複数のデバイス間でデータを転送できるようにする。
【００５１】
本発明の第１および第２の実施形態の両方のさらに可能な改良は、これらの実施形態が、メモリ３１、１３１に記憶されるべきデータを圧縮する機能を備えていてもよい点にある。これは、２００２年５月１３日に出願されたＰＣＴ特許出願“携帯型データ記憶デバイスに記憶されるデータを圧縮および解凍するシステムおよび方法”、ＰＣＴ／ＳＧ０２／０００８６で議論された概念に関連する。この特許出願の開示全体が参照によりここに取り込まれる。圧縮アルゴリズムは例えばＲＯＭメモリ内に記憶され、プロセッサ３３、１３３にアップロードされ、そこで実行されてもよい。代替的に、デバイスは別個の圧縮エンジン（示されていない）を含んでいてもよい。
【００５２】
オプション的に、データ圧縮に加えて携帯型記憶デバイスはデバイスから送信する前にデータを解凍するように構成される。再び説明すると、これはプロセッサ３３、１３３によって、あるいは解凍エンジンによって実行されてもよい。この解凍エンジンは、実際には圧縮エンジンと同一のマイクロプロセッサによってなされてもよい。
【００５３】
本発明の第１および第２の実施形態の両方の別の可能な改良は、デバイスにある形式の“スマートカード”が含まれ、１つ以上の追加のセキュリティ機能を提供することができる点にある。その機能は、例えばデバイスの不正使用を検出すること、この検出を受けてデバイスの機能を変更する、例えばメモリモジュール３１，１３１からのデータの送信を禁止する（または、実際にはそこに記憶されているすべてのデータを消去する）ことなどである。
【００５４】
多くの形式のスマートカードが知られており、これには例えばデバイスのハウジングが開かれたことを感応できるカードや、識別子情報を含むカード等がある。オプション的に、例えば上述された指紋感知がスマートカードを使用して実現されてもよい。
【００５５】
本発明は２つの実施形態のみを参照して上述されてきたが、当業者にとって明確なように、本発明の範囲内で多くのさらなるバリエーションが可能である点に留意すべきである。例えば、データ記憶デバイス５が物理インターフェースを含むことも可能である。この物理インターフェースは、データ記憶デバイス５が別の電子デバイスまたは装置に接続できるようにする。この別の電子デバイスまたは装置は、物理インターフェースを介してそれぞれ他の電子デバイスからデータ記憶デバイスへデータが送信され、あるいはデータ記憶デバイスから他の電子デバイスへデータが送信されるようにする。例えば物理インターフェースは、他の電子デバイス内のソケットに直接接続可能な、ＵＳＢプラグやファイアワイヤプラグのようなプラグであってもよい。
【００５６】
さらに、データ記憶デバイス５は単一のコンピュータシステム内で使用されるよう限定される必要はないが、異なるコンピュータシステム間でデータを転送するよう使用されてもよい。これらコンピュータシステムのそれぞれは１つ以上の個々のＰＣを有していてよく、これらコンピュータシステムのそれぞれは１つ以上のスレーブデバイスを有していてよい。
【図面の簡単な説明】
【００５７】
【図１】図１は、本発明の第１の実施形態であるデータ記憶デバイスを含むコンピュータシステムの模式図である。
【図２】図２は、図１のデータ記憶デバイスの模式図である。
【図３】図３は、図１のデータ記憶デバイスの模式図である。
【図４】図４は、図１のシステムを採用した第１の方法においてデータ記憶デバイスにより実行されるステップを示す。
【図５】図５は、図１のシステムを採用する第２の方法においてデータ記憶デバイスにより実行されるステップを示す。
【図６】図６は、図１のシステムを採用する第３の方法においてデータ記憶デバイスにより実行されるステップを示す。
【図７】図７は、ユーザの視点からみた図５または図６のプロセスを示す。
【図８】図８は、本発明の第２の実施形態であるデータ記憶デバイスの側面図を模式的に示す。
【図９】図９は、図８の実施形態の内部構成を示す。
【図１】
2005011360.tif 000003
【図２】
2005011360.tif 000004
【図３】
2005011360.tif 000005
【図４】
2005011360.tif 000006
【図５】
2005011360.tif 000007
【図６】
2005011360.tif 000008
【図７】
2005011360.tif 000009
【図８】
2005011360.tif 000010
【図９】
2005011360.tif 000011